(57)【要約】【課題】飛行性能に優れたゴルフボール２の提供。【解決手段】ゴルフボール２は、その表面に第一ゾーン１０と第二ゾーン１２とを備えている。第一ゾーン１０は、第一平滑面１８とディンプル２０とを有している。第一平滑面１８は、ゴルフボール２の仮想球の表面と一致している。ディンプル２０は、第一平滑面１８から凹陥している。第二ゾーン１２は、第二平滑面２２とピンプル２４とを有している。第二平滑面２２は、ゴルフボール２の仮想球の表面から凹陥している。ピンプル２４は、第二平滑面２２から突出している。第一ゾーン１０の総面積は、第二ゾーン１２の総面積よりも大きい。第二ゾーン１２は、ディンプル２０を有していない。ピンプル２４の頂点は、仮想球の表面に位置している。【選択図】図３
2010154987.tif 000002
【特許請求の範囲】
【請求項１】
その表面に第一ゾーンと第二ゾーンとを備えており、
上記第一ゾーンが、ゴルフボールの仮想球の表面と一致する第一平滑面と、この第一平滑面から凹陥するディンプルとを有しており、
上記第二ゾーンが、ゴルフボールの仮想球の表面から凹陥する第二平滑面と、この第二平滑面から突出するピンプルとを有しているゴルフボール。
【請求項２】
上記第一ゾーンの総面積が第二ゾーンの総面積よりも大きい請求項１に記載のゴルフボール。
【請求項３】
上記第二ゾーンがディンプルを有していない請求項１又は２に記載のゴルフボール。
【請求項４】
上記ピンプルの頂点が上記仮想球の表面に位置している請求項１から３のいずれかに記載のゴルフボール。
【請求項５】
上記仮想球に内接する正多面体又は準正多面体の辺が球面に投影されて得られる区画線により、上記第一ゾーンの輪郭及び第二ゾーンの輪郭が画定されている請求項１から４のいずれかに記載のゴルフボール。
【請求項６】
上記第一ゾーンが複数の第二ゾーンに囲まれており、上記第二ゾーンが複数の第一ゾーンに囲まれている請求項５に記載のゴルフボール。
【発明の詳細な説明】
【技術分野】
【０００１】
本発明は、ゴルフボールに関する。詳細には、本発明は、ゴルフボールの表面形状の改良に関する。
【背景技術】
【０００２】
飛行中のゴルフボールは、空気抵抗を受ける。この空気抵抗により、ゴルフボールは失速する。サイズの小さなゴルフボールの空気抵抗は、小さい。飛距離の観点からは、小さなゴルフボールが好ましい。
【０００３】
米国ゴルフ協会（ＵＳＧＡ）は、ゴルフボールのルールを定めている。このルールによれば、ゴルフボールの直径は１．６８インチ（４２．６７ｍｍ）以上に規定されている。このルールに適合するゴルフボールを、ＵＳＧＡは公認する。公認に先立ち、ＵＳＧＡはゴルフボールを検査する。この検査では、内径が１．６８インチである金属製のリングが用いられる。所定よりも多くの頻度でこのリングを通過するゴルフボールは、公認されない。
【０００４】
ゴルフボールは、その表面に多数のディンプルを備えている。ディンプルは、飛行時のゴルフボール周りの空気の流れを乱し、乱流剥離を起こさせる。乱流剥離によってバックスピンに起因するゴルフボールの上側剥離点と下側剥離点とのズレが助長され、ゴルフボールに作用する揚力が高められる。大きな揚力により、ゴルフボールの高弾道が達成される。ドライバーショットでは、高弾道によって大きな飛距離が得られる。アイアンショットでは、高弾道によって小さなラン（ロール）が達成される。ランが小さなゴルフボールを用いることにより、ゴルファーは、このゴルフボールを目標地点に静止させやすい。
【０００５】
ゴルフボールの表面形状に関する、飛行性能の向上を意図した提案が、種々なされている。
【０００６】
特開平１０−１４６４０３号公報には、１．６８インチよりも小さな直径を有する球と、この球の表面に形成された凸部とを備えたゴルフボールが開示されている。球が小さいので、このゴルフボールの空気抵抗は小さい。このゴルフボールの直径の検査では、凸部がリングの通過を阻止する。このゴルフボールは、ＵＳＧＡのルールに適合する。同様のゴルフボールは、特開平１１−１９２３２２号公報及び特表２００３−５１５３６５公報にも開示されている。
【０００７】
特開２００５−２７６９８公報には、ゴルフボールの直径よりも小さな直径を有する小球面を備えたゴルフボールが開示されている。この小球面には、ディンプルが形成されている。この公報では、この小球面がゴルフボールの空力特性に寄与すると、述べられている。
【特許文献１】特開平１０−１４６４０３号公報
【特許文献２】特開平１１−１９２３２２号公報
【特許文献３】特表２００３−５１５３６５公報
【特許文献４】特開２００５−２７６９８公報
【発明の開示】
【発明が解決しようとする課題】
【０００８】
特開平１０−１４６４０３号公報に開示されたゴルフボールでは、球の直径が小さいので、ドロップする。このゴルフボールは、アイアンショットでのコントロール性能に劣る。特開２００５−２７６９８公報に開示されたゴルフボールでは、実質的に球であるというゴルフボールの本質を、小球面が損なう。パッティングのとき、このゴルフボールはまっすぐには転がりにくい。さらに小球面は、ドロップを招来する。本発明の目的は、諸性能に優れたゴルフボールの提供にある。
【課題を解決するための手段】
【０００９】
本発明に係るゴルフボールは、その表面に第一ゾーンと第二ゾーンとを備える。第一ゾーンは、ゴルフボールの仮想球の表面と一致する第一平滑面と、この第一平滑面から凹陥するディンプルとを有する。第二ゾーンは、ゴルフボールの仮想球の表面から凹陥する第二平滑面と、この第二平滑面から突出するピンプルとを有する。
【００１０】
好ましくは、第一ゾーンの総面積は、第二ゾーンの総面積よりも大きい。好ましくは、第二ゾーンはディンプルを有さない。好ましくは、ピンプルの頂点は、仮想球の表面に位置する。
【００１１】
好ましくは、仮想球に内接する正多面体又は準正多面体の辺が球面に投影されて得られる区画線により、第一ゾーンの輪郭及び第二ゾーンの輪郭が画定される。好ましくは、第一ゾーンは、複数の第二ゾーンに囲まれる。好ましくは、第二ゾーンは、複数の第一ゾーンに囲まれる。
【発明の効果】
【００１２】
本発明に係るゴルフボールでは、ディンプルとピンプルとの混在により、空気の流れが十分に乱される。このゴルフボールは、ドロップしにくい。このゴルフボールは、飛行性能及びコントロール性能に優れる。このゴルフボールでは、第二ゾーンにピンプルが存在するので、パッティングのときにまっすぐに転がる。
【発明を実施するための最良の形態】
【００１３】
以下、適宜図面が参照されつつ、好ましい実施形態に基づいて本発明が詳細に説明される。
【００１４】
図１は、本発明の一実施形態に係るゴルフボール２が示された模式的断面図である。このゴルフボール２は、球状のコア４と、カバー６とを備えている。このゴルフボール２は、カバー６の外側にペイント層及びマーク層を備えているが、これらの層の図示は省略されている。コア４とカバー６との間に、中間層が設けられてもよい。
【００１５】
このゴルフボール２の直径は、４０ｍｍ以上４５ｍｍ以下である。米国ゴルフ協会（ＵＳＧＡ）の規格が満たされるとの観点から、直径は４２．６７ｍｍ以上がより好ましい。空気抵抗抑制の観点から、直径は４４ｍｍ以下がより好ましく、４２．８０ｍｍ以下が特に好ましい。このゴルフボール２の質量は、４０ｇ以上５０ｇ以下である。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下がより好ましい。
【００１６】
コア４は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１７】
コア４の架橋には、共架橋剤が好適に用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１８】
コア４のゴム組成物には、硫黄化合物、充填剤、老化防止剤、着色剤、可塑剤、分散剤等の各種添加剤が、必要に応じて適量配合される。ゴム組成物に、架橋ゴム粉末又は合成樹脂粉末が配合されてもよい。
【００１９】
コア４の直径は３０．０ｍｍ以上、特には３８．０ｍｍ以上である。コア４の直径は４２．０ｍｍ以下、特には４１．５ｍｍ以下である。コア４が２以上の層から構成されてもよい。コア４が、中空であってもよい。コア４が、その表面にリブを備えてもよい。
【００２０】
カバー６に好適なポリマーは、アイオノマー樹脂である。好ましいアイオノマー樹脂としては、α−オレフィンと炭素数が３以上８以下のα，β−不飽和カルボン酸との二元共重合体が挙げられる。好ましい他のアイオノマー樹脂としては、α−オレフィンと炭素数が３以上８以下のα，β−不飽和カルボン酸と炭素数が２以上２２以下のα，β−不飽和カルボン酸エステルとの三元共重合体が挙げられる。二元共重合体及び三元共重合体において、好ましいα−オレフィンはエチレン及びプロピレンであり、好ましいα，β−不飽和カルボン酸はアクリル酸及びメタクリル酸である。二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。
【００２１】
アイオノマー樹脂に代えて、又はアイオノマー樹脂と共に、他のポリマーが用いられてもよい。他のポリマーとしては、熱可塑性樹脂スチレンエラストマー、熱可塑性ポリウレタンエラストマー、熱可塑性ポリアミドエラストマー、熱可塑性ポリエステルエラストマー及び熱可塑性ポリオレフィンエラストマーが例示される。
【００２２】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２３】
カバー６の厚みは０．３ｍｍ以上、特には０．５ｍｍ以上である。カバー６の厚みは２．５ｍｍ以下、特には２．２ｍｍ以下である。カバー６の比重は０．９０以上、特には０．９５以上である。カバー６の比重は１．１０以下、特には１．０５以下である。カバー６が２以上の層から構成されてもよい。
【００２４】
図２は、図１のゴルフボール２が示された拡大正面図である。図２には、複数の区画線８が画かれている。それぞれの区画線８は仮想の線であり、ゴルフボール２の表面にエッジとして現れない。これらの区画線８により、ゴルフボール２の表面が第一ゾーン１０と第二ゾーン１２とに区画されている。第一ゾーン１０の形状は、球面正五角形である。第二ゾーン１２の形状は、球面正三角形である。第一ゾーン１０の数Ｎ１は、１２である。第二ゾーン１２の数Ｎ２は２０である。
【００２５】
図３は、図２のIII−III線に沿った拡大断面図である。図４は、図３のゴルフボール２の一部が示された拡大断面図である。図４において符号１４で示されているのは、仮想球である。仮想球１４の半径Ｒ１は、ゴルフボール２の半径と一致している。仮想球１４の表面は、平滑であると仮定されたときのゴルフボール２の表面と一致する。図４において符号１６で示されているのは、仮想小球である。仮想小球１６の中心は、仮想球１４の中心と一致している。仮想小球１６の半径Ｒ２は、仮想球１４の半径Ｒ１よりも小さい。
【００２６】
図３及び４に示されるように、第一ゾーン１０は、第一平滑面１８とディンプル２０とを有している。第一平滑面１８は、仮想球１４の表面と一致している。第一平滑面１８は仮想球１４の表面の一部である。ディンプル２０は、第一平滑面１８から凹陥している。図２においてディンプル２０は、符号Ｃ及びＤにより示されている。図２では、１つの第一ゾーン１０に関し、ディンプル２０の符号が示されている。この第一ゾーン１０のディンプルパターンが、全ての第一ゾーン１０に展開される。
【００２７】
第二ゾーン１２は、第二平滑面２２とピンプル２４とを有している。第二平滑面２２は、仮想小球１６の表面と一致している。換言すれば、第二平滑面２２は、仮想球１４の表面から凹陥している。第二平滑面２２は仮想小球１６の表面の一部である。ピンプル２４は、第二平滑面２２から突出している。図２においてピンプル２４は、符号Ａ及びＢにより示されている。図２では、１つの第二ゾーン１２に関し、ピンプル２４の符号が示されている。この第二ゾーン１２のピンプルパターンが、全ての第二ゾーン１２に展開される。
【００２８】
図４に示されるように、第一ゾーン１０と第二ゾーン１２との境界には、斜面２６が存在している。図４において符号Ｐｍで示されているのは、この斜面２６の中点である。図４において符号２８で示されているのは、仮想球１４の中心と中点Ｐｍとを通過する直線である。この直線２８により、第一ゾーン１０と第二ゾーン１２とが区画される。
【００２９】
このゴルフボール２がゴルフクラブで打撃されると、バックスピンを伴って飛行する。バックスピンにより、第一ゾーン１０及び第二ゾーン１２が現れる。第二平滑面２２は第一平滑面１８よりも凹陥しているので、第一ゾーン１０及び第二ゾーン１２によって空気の流れが乱される。ディンプル２０は第一平滑面１８から凹陥しているので、このディンプル２０によっても空気の流れが乱される。ピンプル２４は第二平滑面２２から突出しているので、このピンプル２４によっても空気の流れが乱される。このゴルフボール２は、飛行性能に優れる。
【００３０】
このゴルフボール２では、第一平滑面１８の半径Ｒ１は十分に大きい。従って、ドロップが生じにくい。このゴルフボール２は、アイアンショットでのコントロール性能に優れる。
【００３１】
仮想球１４の半径Ｒ１と仮想小球１６の半径Ｒ２との差（Ｒ１−Ｒ２）は、０．０５ｍｍ以上が好ましい。差（Ｒ１−Ｒ２）が０．０５ｍｍ以上であるゴルフボール２では、空気の流れが十分に乱される。この観点から、差（Ｒ１−Ｒ２）は０．１０ｍｍ以上が特に好ましい。ドロップの抑制の観点から、差（Ｒ１−Ｒ２）は０．５０ｍｍ以下が好ましく、０．２５ｍｍ以下が特に好ましい。
【００３２】
それぞれの第一ゾーン１０の面積ｓ１は、仮想球１４の表面に形成された球面正五角形の面積である。前述の通り、このゴルフボール２は１２の第一ゾーン１０を備えている。従って、これら第一ゾーン１０の総面積Ｓ１は、面積ｓ１の１２倍である。
【００３３】
それぞれの第二ゾーン１２の面積ｓ２は、仮想球１４の表面に形成された球面正三角形の面積である。前述の通り、このゴルフボール２は２０の第二ゾーン１２を備えている。従って、これら第二ゾーン１２の総面積Ｓ２は、面積ｓ２の２０倍である。
【００３４】
空力特性の観点から、比（Ｓ１／Ｓ２）は１／９以上９／１以下が好ましく、２／８以上８／２以下が特に好ましい。コントロール性能の観点から、総面積Ｓ１が総面積Ｓ２よりも大きいことが好ましい。コントロール性能の観点から、比（Ｓ１／Ｓ２）は６／４以上が好ましく、７／３以上が特に好ましい。図２に示されたゴルフボール２では、比（Ｓ１／Ｓ２）は７１／２９である。
【００３５】
第二平滑面２２は仮想球１４の表面から凹陥しているが、ピンプル２４はこの第二平滑面２２から突出している。パッティングのとき、このピンプル２４が地面に当接する。従って、このゴルフボール２は真っ直ぐに転がる。ピンプル２４はさらに、１．６８インチのリングの内面に当接しうる。このゴルフボール２は、ＵＳＧＡのルールに適合しやすい。
【００３６】
第一ゾーン１０が、ディンプル２０と共にピンプル２４を備えてもよい。第一ゾーン１０におけるディンプル２０とピンプル２４との混在は、空気の乱れを促す。
【００３７】
第二ゾーン１２がディンプル２０を備えないことが好ましい。第二平滑面２２は仮想球１４の表面から凹陥しているので、もし第二ゾーン１２がディンプル２０を備えると、このディンプル２０の底は仮想球１４の表面から離れて位置する。このようなディンプル２０は、ゴルフボール２のドロップを招来する。第二ゾーン１２がディンプル２０を備えないゴルフボール２は、ドロップしにくい。
【００３８】
図２に示された区画線８は、２０−１２面体によって得られる。仮想球１４に内接する２０−１２面体が想定され、この２０−１２面体の辺が仮想球１４の表面に投影されて、区画線８が得られる。このゴルフボール２では、区画線８を挟んで第一ゾーン１０と第二ゾーン１２とが隣接している。全ての区画線８において、第一ゾーン１０と第二ゾーン１２とが隣接している。１つの第一ゾーン１０は、５つの第二ゾーン１２に囲まれている。１つの第二ゾーン１２は、３つの第一ゾーン１０に囲まれている。このゴルフボール２がゴルフクラブで打撃されると、バックスピンによって第一ゾーン１０と第二ゾーン１２とが交互に現れる。このゴルフボール２では、空気の流れが十分に乱される。球面正三角形が第一ゾーンであり、球面正五角形が第二ゾーンであってもよい。
【００３９】
他の多面体によって区画線８が得られてもよい。空力的対称性の観点から、正多面体又は準正多面体によって区画線８が得られることが好ましい。好ましい正多面体としては、正六面体、正八面体、正十二面体及び正二十面体が例示される。好ましい準正多面体としては、前述の２０−１２面体以外に、立方八面体が例示される。全ての区画線において第一ゾーンと第二ゾーンとが隣接しうるとの観点から、正八面体、立方八面体及び２０−１２面体が好ましい。
【００４０】
前述の通り、第一ゾーン１０の数Ｎ１は１２である。飛行性能の観点から、数Ｎ１は４以上が好ましく、６以上がより好ましく、１２以上が特に好ましい。数Ｎ１は、３０以下が好ましい。前述の通り、第二ゾーン１２の数Ｎ２は２０である。飛行性能の観点から、数Ｎ２は４以上が好ましく、６以上がより好ましく、１２以上が特に好ましい。数Ｎ２は、３０以下が好ましい。飛行性能の観点から、比（Ｎ１／Ｎ２）は３／５以上５／３以下が好ましく、３／４以上４／３以下が特に好ましい。
【００４１】
飛行性能の観点から、１つの第一ゾーン１０におけるディンプル２０の数は３以上が好ましく、６以上が特に好ましい。飛行性能の観点から、１つの第二ゾーン１２におけるピンプル２４の数は３以上が好ましく、６以上が特に好ましい。
【００４２】
飛行性能の観点から、ディンプル２０の総数Ｎｄとピンプル２４の総数Ｎｐとの和（Ｎｄ＋Ｎｐ）は３００以上が好ましく、４００以上がより好ましく、５００以上が特に好ましい。飛行性能の観点から、和（Ｎｄ＋Ｎｐ）は２０００以下が好ましく、１８００以下がより好ましく、１６００以下が特に好ましい。図２に示されたゴルフボール２では、それぞれの第一ゾーン１０は５１個のディンプル２０を備えており、第二ゾーン１２はディンプル２０を備えていない。従って、総数Ｎｄは６１２である。このゴルフボール２では、第一ゾーン１０はピンプル２４を備えておらず、それぞれの第二ゾーン１２は１０個のピンプル２４を備えている。従って、総数Ｎｐは２００である。このゴルフボール２の和（Ｎｄ＋Ｎｐ）は、８１２である。
【００４３】
飛行性能の観点から、比（Ｎｄ／Ｎｐ）は２０／８０以上８０／２０以下が好ましく、２５／７５以上７５／２５以下が特に好ましい。図２に示されたゴルフボール２では、比（Ｎｄ／Ｎｐ）は７５／２５である。
【００４４】
図５は、図２のゴルフボール２の一部が示された拡大断面図である。図５には、ディンプル２０の中心Ｐｄ及びゴルフボール２の中心を通過する平面に沿った断面が示されている。図５における上下方向は、ディンプル２０の深さ方向である。
【００４５】
図５において矢印Ｄｄで示されているのは、ディンプル２０の直径である。この直径Ｄｄは、ディンプル２０の両側に共通の接線２８が画かれたときの、一方の接点３０と他方の接点３０との距離である。接点３０は、ディンプル２０のエッジでもある。エッジ３０は、ディンプル２０の輪郭を画定する。直径Ｄｄは、１．０ｍｍ以上６．０ｍｍ以下が好ましい。直径Ｄｄが１．０ｍｍ以上に設定されることにより、空気の流れがよく乱される。この観点から、直径Ｄｄは１．５ｍｍ以上がより好ましく、２．０ｍｍ以上が特に好ましい。直径Ｄｄが６．０ｍｍ以下に設定されることにより、実質的に球であるというゴルフボール２の本来的特徴が維持される。この観点から、直径Ｄｄは５．０ｍｍ以下がより好ましく、４．５ｍｍ以下が特に好ましい。
【００４６】
ディンプル２０の面積ｓｄは、無限遠からゴルフボール２の中心を見た場合の、輪郭線に囲まれた領域の面積である。円形ディンプル２０の場合、面積ｓｄは下記数式によって算出される。
sｄ = (Dd / 2)２ * π
図２に示されたゴルフボール２では、ディンプルＣの直径Ｄｄは２．６４３ｍｍであり、ディンプルＤの直径Ｄｄは２．２３７ｍｍである。従って、ディンプルＣの面積ｓｄは５．４８８ｍｍ２であり、ディンプルＤの面積ｓｄは３．９２９ｍｍ２である。ディンプルＣの個数は５４０であり、ディンプルＤの個数は７２である。このゴルフボール２のディンプル２０の総面積Ｓｄは、３２４６．３ｍｍ２である。
【００４７】
図５において矢印Ｄｅで示されているのは、ディンプル２０の深さである。深さＤｅは、接線２８とディンプル２０の最深部との距離である。ゴルフボール２のホップが抑制されるとの観点から、深さＤｅは０．０５ｍｍ以上が好ましく、０．０８ｍｍ以上がより好ましく、０．１０ｍｍ以上が特に好ましい。ゴルフボール２のドロップが抑制されるとの観点から、深さＤｅは０．６０ｍｍ以下が好ましく、０．５０ｍｍ以下がより好ましく、０．４０ｍｍ以下が特に好ましい。
【００４８】
本発明において「ディンプルの容積ｖｄ」は、ディンプル２０の輪郭を含む平面とディンプル２０の表面とに囲まれた部分の容積である。図２に示されたゴルフボール２では、ディンプルＣの容積ｖｄは０．４１３ｍｍ３であり、ディンプルＤの容積ｖｄは０．２９６ｍｍ３である。このゴルフボール２のディンプル２０の総容積Ｖｄは、２４４．６ｍｍ３である。
【００４９】
ディンプル２０の平面形状は、円である。ゴルフボール２が、平面形状が非円形であるディンプルを備えてもよい。非円形の具体例としては、多角形、楕円及び長円が挙げられる。ディンプル２０の断面形状は、概ね円弧である。ゴルフボール２が、他の断面形状を有するディンプルを備えてもよい。他の断面形状の具体例としては、ダブルラジアス形状が挙げられる。
【００５０】
図６は、図２のゴルフボール２の一部が示された拡大断面図である。図６には、ピンプル２４の頂点Ｐｐ及びゴルフボール２の中心を通過する平面に沿った断面が示されている。図６における上下方向は、ピンプル２４の高さ方向である。
【００５１】
図６において矢印Ｄｐで示されているのは、ピンプル２４の直径である。直径Ｄｐは、１．０ｍｍ以上６．０ｍｍ以下が好ましい。直径Ｄｐが１．０ｍｍ以上に設定されることにより、空気の流れがよく乱される。この観点から、直径Ｄｐは１．５ｍｍ以上がより好ましく、２．０ｍｍ以上が特に好ましい。直径Ｄｐが６．０ｍｍ以下に設定されることにより、空気の流れがよく乱される。この観点から、直径Ｄｐは５．０ｍｍ以下がより好ましく、４．５ｍｍ以下が特に好ましい。
【００５２】
ピンプル２４の面積ｓｐは、無限遠からゴルフボール２の中心を見た場合の、ピンプル２４の輪郭線に囲まれた領域の面積である。円形ピンプル２４の場合、面積ｓｐは下記数式によって算出される。
sｐ = (Dｐ / 2)２ * π
図２に示されたゴルフボール２では、ピンプルＡの直径Ｄｐは２．７７６ｍｍであり、ピンプルＢの直径Ｄｐも２．７７６ｍｍである。従って、ピンプルＡの面積ｓｐは６．０５２ｍｍ２であり、ピンプルＢの面積ｓｐも６．０５２ｍｍ２である。ピンプルＡの個数は８０であり、ピンプルＢの個数は１２０ある。このゴルフボール２のピンプル２４の総面積Ｓｐは、１２１０．５ｍｍ２である。
【００５３】
図６において矢印Ｈで示されているのは、ピンプル２４の高さである。高さＨは、頂点Ｐｐと仮想小球１６との距離である。ゴルフボール２のホップが抑制されるとの観点から、高さＨは０．０５ｍｍ以上が好ましく、０．０８ｍｍ以上がより好ましく、０．１０ｍｍ以上が特に好ましい。ゴルフボール２のドロップが抑制されるとの観点から、高さＨは０．６０ｍｍ以下が好ましく、０．５０ｍｍ以下がより好ましく、０．４０ｍｍ以下が特に好ましい。
【００５４】
本発明において「ピンプルの容積ｖｐ」は、ピンプル２４の表面と仮想小球１６とに囲まれた部分の容積である。図２に示されたゴルフボール２では、ピンプルＡの容積ｖｐは０．４５８ｍｍ３であり、ピンプルＢの容積ｖｐも０．４５８ｍｍ３である。このゴルフボール２のピンプル２４の総容積Ｖｐは、９１．６ｍｍ３である。
【００５５】
図６において矢印Ｌで示されているのは、仮想球１４の中心とピンプル２４の頂点Ｐｐとの距離である。距離Ｌが半径Ｒ１より小さい場合、頂点Ｐｐは仮想小球１６の表面と仮想球１４の表面との間に位置する。距離Ｌが半径Ｒ１と同じ場合、頂点Ｐｐは仮想球１４の表面に位置する。距離Ｌが半径Ｒ１より大きい場合、頂点Ｐｐは仮想球１４の表面の外側に位置する。ピンプル２４の摩滅が抑制されるとの観点から、差（Ｒ１−Ｌ）は−０．１５ｍｍ以上が好ましく、−０．１０ｍｍ以上が特に好ましい。飛行性能の観点から、差（Ｒ１−Ｌ）は０．１５ｍｍ以下が好ましく、０．１０ｍｍ以下が特に好ましい。ＵＳＧＡのルールに適合しやすいとの観点から、差（Ｒ１−Ｌ）はゼロが好ましい。換言すれば、頂点Ｐｐが仮想球１４の表面に位置することが好ましい。頂点Ｐｐが仮想球１４の表面に位置するピンプル２４の高さＨは、差（Ｒ１−Ｒ２）と一致する。
【００５６】
本発明において、占有率Ｙ（％）は、下記数式によって算出される。
Y = ((Sd + Sp) / (4 * π * R1２)) * 100
Sd : ディンプル２０の総面積 (mm２)
Sp : ピンプル２４の総面積 (mm２)
R1 : 仮想球１４の半径 (mm)
前述の通り、ディンプル２０の総面積Ｓｄは３２４６．３ｍｍ２であり、ピンプル２４の総面積Ｓｐは１２１０．５ｍｍ２である。半径Ｒ１は４２．７０ｍｍなので、占有率Ｙは７７．８％である。
【００５７】
飛行性能の観点から、占有率Ｙは６５％以上が好ましく、７０％以上がより好ましく、７５％以上が特に好ましい。占有率Ｙは、９５％以下が好ましい。
【００５８】
前述の通り、ディンプル２０の総容積Ｖｄは２４４．６ｍｍ３であり、ピンプル２４の総容積Ｖｐは９１．６ｍｍ３である。従って、和（Ｖｄ＋Ｖｐ）は３３６．１ｍｍ３である。ゴルフボール２のホップが抑制されるとの観点から、和（Ｖｄ＋Ｖｐ）は２００ｍｍ３以上が好ましく、２２０ｍｍ３以上がより好ましく、２５０ｍｍ３以上が特に好ましい。ゴルフボール２のドロップが抑制されるとの観点から、和（Ｖｄ＋Ｖｐ）は５００ｍｍ３以下が好ましく、４５０ｍｍ３以下がより好ましく、４００ｍｍ３以下が特に好ましい。
【００５９】
ピンプル２４の形状は、球の一部である。ゴルフボール２が、円柱、円錐台、円錐、角柱、角錐台、角錐、筋山等の形状を有するピンプルを備えてもよい。ピンプルの平面形状は、円形が好ましい。
【実施例】
【００６０】
以下、実施例によって本発明の効果が明らかにされるが、この実施例の記載に基づいて本発明が限定的に解釈されるべきではない。
【００６１】
［実施例１］
１００質量部のポリブタジエン（ジェイエスアール社の商品名「ＢＲ−７３０」）、３０質量部のアクリル酸亜鉛、６質量部の酸化亜鉛、１０質量部の硫酸バリウム、０．５質量部のジフェニルジスルフィド及び０．５質量部のジクミルパーオキサイドを混練し、ゴム組成物を得た。このゴム組成物を共に半球状キャビティを備えた上型及び下型からなる金型に投入し、１７０℃で１８分間加熱して、直径が３９．７ｍｍであるコアを得た。一方、５０質量部のアイオノマー樹脂（三井・デュポンポリケミカル社の商品名「ハイミラン１６０５」）、５０質量部の他のアイオノマー樹脂（三井・デュポンポリケミカル社の商品名「ハイミラン１７０６」）及び３質量部の二酸化チタンを混練し、樹脂組成物を得た。上記コアを、内周面に多数のピンプル及びディンプルを備えたファイナル金型に投入し、球体の周囲に上記樹脂組成物を射出成形法により注入して、厚みが１．５ｍｍであるカバーを成形した。カバーには、ピンプルの形状が反転した形状を有するディンプルと、ディンプルの形状が反転した形状を有するピンプルとが形成された。このカバーに、二液硬化型ポリウレタンを基材とするクリアー塗料を塗装し、直径が４２．７０ｍｍであり質量が約４５．４ｇである実施例１のゴルフボールを得た。このゴルフボールのＰＧＡコンプレッションは、約８５である。このゴルフボールは、図２に示されたパターンを有する。ディンプル及びピンプルの仕様の詳細が、下記表１に示されている。
【００６２】
［実施例２から５及び比較例１から３］
ファイナル金型を変更し、その仕様が下記表１及び２に示されるディンプル又はディンプルを形成した他は実施例１と同様にして、実施例２から５及び比較例１から３のゴルフボールを得た。
【００６３】
［飛距離テスト］
ゴルフラボラトリー社のスイングマシンに、チタンヘッドを備えたドライバー（ＳＲＩスポーツ社の商品名「ＸＸＩＯ」、シャフト硬度：Ｘ、ロフト角：９°）を装着した。ヘッド速度が４９ｍ／ｓｅｃであり、打ち出し角度が約１１°であり、バックスピンの回転速度が約３０００ｒｐｍである条件でゴルフボールを打撃して、発射地点から静止地点までの距離を測定した。テスト時は、ほぼ無風であった。２０回の測定の平均値が、下記の表３に示されている。
【００６４】
［コントロール性能の評価］
ゴルファーに、ショートアイアンでゴルフボールを打撃させた。下記の基準に従い、コントロール性能を格付けさせた。
Ａ：コントロール性能が極めてよい
Ｂ：コントロール性能がよい
Ｃ：コントロール性能がよくない
この結果が、下記の表３に示されている。
【００６５】
【表１】
2010154987.tif 000003
【００６６】
【表２】
2010154987.tif 000004
【００６７】
【表３】
2010154987.tif 000005
【００６８】
表３に示されるように、実施例のゴルフボールは飛行性能及びコントロール性能に優れている。この評価結果から、本発明の優位性は明らかである。
【産業上の利用可能性】
【００６９】
本発明に係るディンプルパターンは、ツーピースゴルフボールのみならず、ワンピースゴルフボール、マルチピースゴルフボール及び糸巻きゴルフボールにも適用されうる。
【図面の簡単な説明】
【００７０】
【図１】図１は、本発明の一実施形態に係るゴルフボールが示された模式的断面図である。
【図２】図２は、図１のゴルフボールが示された拡大正面図である。
【図３】図３は、図２のIII−III線に沿った拡大断面図である。
【図４】図４は、図３のゴルフボールの一部が示された拡大断面図である。
【図５】図５は、図２のゴルフボールの一部が示された拡大断面図である。
【図６】図６は、図２のゴルフボールの一部が示された拡大断面図である。
【符号の説明】
【００７１】
２・・・ゴルフボール
４・・・コア
６・・・カバー
８・・・区画線
１０・・・第一ゾーン
１２・・・第二ゾーン
１４・・・仮想球
１６・・・仮想小球
１８・・・第一平滑面
２０・・・ディンプル
２２・・・第二平滑面
２４・・・ピンプル
【図１】
2010154987.tif 000006
【図２】
2010154987.tif 000007
【図３】
2010154987.tif 000008
【図４】
2010154987.tif 000009
【図５】
2010154987.tif 000010
【図６】
2010154987.tif 000011